(57)【要約】【課題】  従来の電話システムでは、グループ通話中にいずれかの端末が切断した場合、他の参加メンバーはそれに気づかずそのままグループ通話を続けてしまって、切断した端末の利用者に重要な情報を伝達できないという問題点があり、グループ通話中にいずれかの端末が切断状態になった場合に、そのことを他の端末に報知すして、情報の伝達漏れを無くすことができる電話システムを提供する。【解決手段】  制御部１１が、グループ通話中に、メンバーの端末とグループ通話トランク１２との接続状態を監視し、切断した端末を検出した場合には、通知部１３に通知音を出力するよう指示を出力し、通知部１３が通知音を出力すると、音声合成を行うグループ会議トランク１２が、他の端末に通知音を出力する電話システムとしている。【選択図】        図３
2007324797.tif 000002
【特許請求の範囲】
【請求項１】
接続された複数の端末からの音声を合成して各端末に送出するグループ通話トランクと、
グループ通話を行うグループの固有番号と、前記グループに属する複数の端末の番号とを記憶しておき、グループの固有番号が発呼されると前記グループに属する複数の端末を発呼してオフフックした端末を前記グループ通話トランクに接続する制御部とを備えた電話システムであって、
前記制御部からの指示に従って通知音を出力する通知部を設け、
前記制御部が、グループ通話中に、前記グループ通話トランクと各端末との接続状態を監視し、接続が切断した端末があれば、前記通知部に通知音を送出する指示を出力する制御部であり、
前記グループ通話トランクが、前記通知部からの通知音が入力されると、グループ通話中の複数の端末に前記通知音を送出するグループ会議トランクであることを特徴とする電話システム。
【発明の詳細な説明】
【技術分野】
【０００１】
本発明は、多者同時通話を実現する電話システムに係り、特にグループ通話中に切断した端末があった場合、それを他の参加者に報知して、利便性を向上させることができる電話システムに関する。
【背景技術】
【０００２】
従来、構内電話システムや構内ＰＨＳシステム等の電話システムとして、多者同時通話の一種であるグループ通話を実現する電話システムがあった。
従来の電話システムにおけるグループ通話について図８を用いて説明する。図８は、従来のグループ通話の通話イメージを示す模式説明図である。
一般に、グループ通話を実現する電話システムは、複数の送受話ポートを備え音声多重の処理を行うグループ通話トランク（図示せず）を備え、グループの識別番号であるグループ特番と、当該グループ特番でのグループ通話を行う端末（メンバー）の電話番号とを対応付けて予め制御装置（図示せず）に設定しておく。そして、メンバーのいずれかがグループ特番を発呼すると、制御装置が他のメンバーを発呼して、オフフックしたメンバーを、グループ通話トランクに接続し、グループ通話トランクが、受話ポートの音声を合成して送話ポートに出力することにより、複数のメンバーが同時に通話するグループ通話が行われるようになっている。
【０００３】
そして、図８に示すように、１〜５番の端末がグループ通話を行っているとすると、従来のグループ通話では、一旦通話が開始された後でいずれかのメンバー（ここでは５番）が何らかの原因で切断又は電波が届かない状況になってしまった場合に、他のメンバーは５番が抜けたことに気づかず、相手が通話に参加しているものと思いこんでグループ会議を続けてしまい、切断したメンバーに重要な合図や情報が届かないことがある。
【０００４】
特に、騒音が大きい状況において、多者で危険作業を行っている場合等には、グループ通話から抜けた人がいることを知らずに作業を続けるのは大変危険である。
【０００５】
また、グループ通話のグループにおいて中心的なメンバーがグループ通話中に切断したり、グループ通話開始時にオフフックしなかった場合には、グループ通話を行っても内容が充実した会議にはならないことがある。
【０００６】
尚、グループ通話を行う電話システムの従来技術としては、平成１３年１月３０日公開の特開２００１−２８６３１号「電話システム」（出願人：株式会社日立国際電気、発明者：杉野美智子）がある。
この従来技術は、グループ会議を管理するグループ情報テーブルに、グループ員以外の参加の可否を記憶しておき、グループ通話中に、グループ員以外の電話機からグループ特番が発呼されると、回線制御部がグループ情報テーブルを参照して、当該グループがグループ員以外の参加可能であれば、発呼者を当該グループ通話に参加させる電話システムであり、会議トランク（グループ通話トランク）の有効利用を図り、多者同時通話を効率的に行うことができるものである。
【０００７】
【特許文献１】特開２００１−２８６３１号公報
【発明の開示】
【発明が解決しようとする課題】
【０００８】
しかしながら、従来の電話システムでは、グループ通話を行っている際に、いずれかの端末が切断した場合でも、そのことを他の参加メンバーに通知することができず、そのままグループ通話を続けてしまって、切断した端末の利用者に重要な情報を伝達できなかったり、作業時に危険な状態になってしまうことがあるという問題点があった。
【０００９】
また、従来の電話システムでは、グループの中心的なメンバーがグループ通話中に切断したり、グループ通話の開始時に参加しなかった場合、そのことを他のメンバーに通知することはできず、そのまま生産性の低いグループ会議を続けることになり、業務効率の低下を招く恐れがあるという問題点があった。
【００１０】
本発明は上記実状に鑑みて為されたもので、グループ通話中にいずれかの端末が切断状態になった場合に、そのことを他の端末に報知することができ、情報の伝達漏れを無くすことができる電話システムを提供することを目的とする。
【課題を解決するための手段】
【００１１】
上記従来例の問題点を解決するための本発明は、接続された複数の端末からの音声を合成して各端末に送出するグループ通話トランクと、グループ通話を行うグループの固有番号と、当該グループに属する複数の端末の番号とを記憶しておき、グループの固有番号が発呼されると前記グループに属する複数の端末を発呼してオフフックした端末をグループ通話トランクに接続する制御部とを備えた電話システムであって、制御部からの指示に従って通知音を出力する通知部を設け、制御部が、グループ通話中に、グループ通話トランクと各端末との接続状態を監視し、接続が切断した端末があれば、通知部に通知音を送出する指示を出力する制御部であり、グループ通話トランクが、通知部からの通知音が入力されると、グループ通話中の複数の端末に前記通知音を送出するグループ会議トランクであることを特徴としている。
【発明の効果】
【００１２】
本発明によれば、制御部が、グループ通話中に、グループ通話トランクと各端末との接続状態を監視し、接続が切断した端末があれば、通知部に通知音を送出する指示を出力し、通知部が通知音を出力し、グループ通話トランクが、通知部から入力された通知音をグループ通話中の複数の端末に送出する電話システムとしているので、グループ通話中のいずれかの端末が切断状態となった場合に、そのことをグループの他の端末に通知音で報知することができ、他の端末の利用者が別の方法で切断した端末の利用者に連絡するといった対応をとることで、情報の伝達漏れを無くし、グループ通話の利便性を向上させることができる効果がある。
【発明を実施するための最良の形態】
【００１３】
本発明の実施の形態について図面を参照しながら説明する。
本発明の実施の形態に係る電話システムは、制御装置に通知音を出力する通知部を備え、制御部が、グループ通話中に、各々のメンバーとグループ通話トランクとの接続状態を監視し、いずれかのメンバーとグループ通話トランクとが切断した場合に、通知部に通知音出力を指示して、当該通知音をグループ通話トランクを介して他のメンバーに出力するものであり、いずれかのメンバーがグループ通話から抜けたことを他のメンバーに報知して例えば別の方法で伝達するのを促すことができ、情報の伝達漏れを無くすことができるものである。
【００１４】
図１は、本発明の第１の実施の形態に係る電話システム（第１のシステム）の構成ブロック図である。
本発明の第１の実施の形態に係る電話システムは、図１に示すように、制御装置１と、保守端末２と、基地局３と、電話機４と、携帯機５とから構成されており、更に、制御装置１は、制御部１１と、グループ通話トランク１２と、通知部１３とを備えている。
【００１５】
各構成部分について具体的に説明する。
制御装置１は、構内ＰＨＳシステム及び構内電話システムを含む本電話システム全体の交換制御やグループ通話の制御を行い、また、外線との接続を行うものである。
保守端末２は、グループ特番及びメンバーの設定や、後述する重要端末の設定等を行うものである。
【００１６】
基地局３は、制御装置１に接続された構内ＰＨＳシステムの基地局であり、携帯機５と無線で送受信を行うものである。
電話機４は、有線回線で制御装置１に接続された電話端末であり、グループ通話に参加可能な端末である。
携帯機５は、構内ＰＨＳシステムの無線端末装置であり、基地局３を介してグループ通話に参加可能である。電話機４及び携帯機５をまとめて「端末」と称する。
【００１７】
制御装置１の制御部１１は、制御装置１全体の制御を行い、従来と同様に、保守端末２からのグループ通話のグループ特番やメンバーの設定の操作に基づいて、グループ通話の管理を行うものである。特に、本システムでは、グループ通話を行っている際に、各メンバーとグループ通話トランク１２の接続状況を監視し、切断した端末があれば、通知部１３に対して通知音を出力する指示を出力すると共に、グループ通話トランク１２に切断した端末があるグループ特番を報知するものである。
【００１８】
通知部１３は、制御部１１からの指示に従って、通知音を出力するものである。通知音としては、「ピーピー」等の信号音や、チャイムやメロディ音、切断した端末の内線番号を含む音声メッセージ等が考えられる。
【００１９】
また、グループ通話トランク１２は、従来と同様に、グループ通話の音声多重化を行うものであり、複数の受話ポートから入力された音声を多重化して複数の送話ポートに出力するものである。グループ通話トランク１２は、通常、複数グループのグループ会議を実現するため、グループ毎に音声多重処理を行う。
【００２０】
そして、第１のシステムのグループ通話トランク１２は、通知部１３から通知音が入力された場合には、制御部１１から報知されたグループ特番でグループ通話を行っている端末の送話ポートに、通知音を出力する。これにより、グループ通話中の複数の端末に、切断した端末があることを報知する通知音が出力され、通話中のユーザが、誰かが切断したことを知ることができるものである。また、通知音が端末の番号や名前を含む音声メッセージであれば、通話中の端末は誰が切断したかを認識できるものである。
【００２１】
次に、制御装置１の制御部１１に記憶されているグループ通話管理テーブルについて図２を用いて説明する。図２は、グループ通話管理テーブルの模式説明図である。
図２に示すように、グループ通話管理テーブルは、従来と同様のものであるが、グループ通話特番と、それに対応するメンバーの端末の固有番号（端末番号）が対応付けられて記憶されているものである。図２の例では、グループ特番「９０」に対応して、メンバーの電話機や携帯機の固有番号「１」「２」「３」…が登録されている。尚、これとは別の利用者管理用のテーブルで、各端末番号に対応する名前を登録しておくことも可能である。
【００２２】
そして、第１のシステムでは、従来と同様に、あるグループ特番が発呼されると、制御装置１の制御部１１は、発呼元の端末をグループ通話トランク１２に接続すると共に、グループ通話管理テーブルを参照して、当該グループ特番に対応して記憶されているメンバーの端末番号を発呼する。そして、着呼したメンバーをグループ通話トランク１２の送受話ポートに接続し、グループ通話トランク１２が音声多重化処理を行うことにより、グループ通話が実現される。
【００２３】
次に、第１のシステムにおける切断端末があったことを報知する際の動作について図３を用いて説明する。図３は、第１のシステムの動作を示す模式説明図である。
図３に示すように、端末１〜端末ｎがグループ通話を行っている状態において、制御装置１の制御部１１は、グループ通話トランク１２と各端末との接続状態を常時監視している（１）。そして、例えば端末１が切断したとする（２）。
【００２４】
制御部１１は、切断を検出すると（３）、通知部１３に通知音を出力するよう、指示（通知音送出指令）を出力する（４）。通知部１３は、制御部１１からの指示を受けると、予め用意されている信号音を通知音としてグループ通話トランク１２に出力する（５）。ここで、グループ通話トランク１２が複数のグループ通話をサポートする構成であれば、制御部１１は、グループ通話管理テーブルを参照して、グループ通話トランク１２に対して切断した端末が参加していたグループ特番を通知する。
【００２５】
また、通知部１３から、切断した端末の番号や名前を含むメッセージを通知音として出力する場合には、制御部１１が、通知部１３に通知音送出指令を出力する際に、切断した端末の番号や、利用者の管理テーブルを参照して当該端末に対応する名前を読み出して通知部１３に出力し、通知部１３では当該端末番号や名前を音声データに変換して、メッセージに組み込んで音声メッセージとしてグループ通話トランク１２に出力する。
【００２６】
グループ通話トランク１２では、通知音が入力されると、制御部１１から通知されたグループ特番のグループ通話について、受話ポートから入力された音声と通知音とを合成して（６）、各端末の送話ポートに出力する。これにより、切断された端末以外の全ての端末に、いずれかの端末が切断したことを報知する信号音や、切断した端末の番号を含む音声メッセージが出力され、グループ通話の参加者に誰かが切断したことを知らせることができるものである。尚、グループ通話トランク１２が通知音を出力する際には、各端末からの音声と通知音とを合成せず、通知音のみを各端末の送話ポートに出力してもよい。
【００２７】
次に、制御部１１の処理について図４を用いて説明する。図４は、制御部１１の処理を示すフローチャート図である。
図４に示すように、制御部１１は、グループ通話が開始されると、当該グループにおける、各端末と、グループ通話トランク１２との接続状況（「接続」又は「切断」）を監視する（１００）。
【００２８】
そして、制御部１１は、切断した端末があるかどうかを判断し（１０２）、切断した端末を検出しない場合には、処理１００に戻ってグループ通話の監視を行う。
また、処理１０２で切断した端末を検出した場合には、制御部１１は、通知部１３に通知音送出指令を出力する（１０４）。このとき、通知部１３に対して、切断した端末の番号やそれに対応する利用者の名前を通知してもよい。
【００２９】
そして、グループ通話トランク１２が複数のグループ通話を実現可能な場合には、制御部１１は、グループ通話トランク１２に、切断した端末が含まれるグループ特番を通知する（１０６）。これにより、グループ通話トランク１２は、当該グループ特番でグループ通話を行っている端末にのみ通知音を出力するものである。尚、グループ通話トランク１２が１組のグループ通話しかサポートしない場合には、処理１０６は不要である。
このようにして第１のシステムの制御部１１の処理が行われるものである。
【００３０】
本発明の第１の実施の形態に係る電話システムによれば、制御部１１が、グループ通話中に、メンバーの端末とグループ通話トランク１２との接続状態を監視し、切断した端末を検出した場合には、通知部１３に通知音を出力するよう指示を出力すると共にグループ会議トランク１２にグループ特番を通知し、通知部１３が通知音を出力すると、グループ会議トランク１２が、制御部１１から通知されたグループ特番のグループ通話に接続している全ての端末に送話ポートから通知音を出力する電話システムとしているので、グループ通話中に誰かが接続状態でなくなった場合に、他のメンバーにそのことを報知することができ、重要な連絡漏れや危険事態の発生を防ぐことができる効果がある。
【００３１】
次に、本発明の第２の実施の形態に係る電話システムについて説明する。
まず、第２の実施の形態に係る電話システム（第２のシステム）の動作の概要について図５を用いて説明する。図５は、本発明の第２の実施の形態に係る電話システムの動作の概要を示す模式説明図である。
図５に示すように、第２のシステムでは、制御部に、グループ特番に対応する重要端末の端末番号を記憶しておき、グループ通話中に重要端末が切断した場合には、他の端末に重要端末が切断したことを報知する通知音を出力するものである。又は、重要端末が切断したためグループ通話を終了する旨の音声メッセージを出力して、グループ通話そのものを終了するものである。これにより、当該グループの中心的な人が参加していない状態であることを他のメンバーに報知したり、又はそのような状態でのグループ通話を中止でき、時間の浪費を防ぐことができるものである。
【００３２】
第２のシステムの構成は、図１に示した電話システムとほぼ同様であるため、図１の符号を用いて説明するが、制御部１１の処理や記憶されている情報が上述した例とは一部異なっている。
【００３３】
ここで、第２のシステムの制御部１１に記憶されているグループ通話管理テーブルについて図６を用いて説明する。図６は、第２のシステムのグループ通話管理テーブルの模式説明図である。
図６に示すように、第２のシステムのグループ通話管理テーブルは、図２に示したグループ通話管理テーブルと同様に、グループ特番とそれに対応するメンバーの端末番号とを記憶しているが、更に、第２のシステムの特徴として、各グループ通話特番に対応して重要端末の端末番号が記憶されている。
【００３４】
重要端末は、当該グループ特番でグループ通話を行う際に重要な人の端末であり、その人がグループ通話に参加しなければ不都合である、という場合に登録されるものである。したがって、必ずしも全てのグループ特番に対応して重要端末を登録する必要はない。また、重要端末を複数登録しても構わない。
【００３５】
そして、第２のシステムでは、制御部１１は、グループ通話中に重要端末が切断したことを検出すると、通知部１３に対して、通知音（又はメッセージ）を出力するよう通知音送出指令を出力し、通知部１３からグループ通話トランク１２に通知音が出力され、グループ通話トランク１２が、切断した端末以外の端末に通知音又はメッセージを出力するようになっている。その際、更に、制御部１１がグループ通話を終了してもよい。第１のシステムと同様に、グループ通話トランク１２が複数のグループ通話をサポート可能である場合には、制御部１１は、通知部１３に通知音送出指令を出力する際に、グループ通話トランク１２に当該グループ特番を通知する。
【００３６】
また、端末からグループ特番が発呼された場合に、制御部１１は当該グループ特番に対応する端末番号を発呼して、オフフックするとグループ通話トランクに接続するが、その際に、重要端末に登録されている端末が一定時間オフフックしなかった場合には、通知部１３に通知音（又はメッセージ）を出力するよう指示を出力し、上記と同様にしてグループ通話トランク１２が他の端末に通知音又はメッセージを出力した後、制御部１１がグループ通話を終了するようになっている。
【００３７】
第２のシステムにおける制御部１１の処理について図７を用いて説明する。図７は、第２のシステムにおける制御部１１の処理を示すフローチャート図である。
図７に示すように、第２のシステムの制御部１１は、端末からのグループ特番の発呼によりグループ通話開始の要求があると（２００）、グループ通話トランクに空きがあるかどうかを確認し、空きがあれば、要求元の端末をグループ通話トランクの送受話ポートに接続すると共に、グループ通話管理テーブルを参照して当該グループ特番に対応するメンバーの端末番号を発呼する（２０２）。
【００３８】
制御部１１は、オフフックした端末を順次グループ通話トランクの送受話ポートに接続する。これにより、グループ通話が開始される。
そして、制御部１１は、図６に示したグループ通話管理テーブルを参照して、グループ特番に対応する重要端末がオフフックしたかどうかを判断する（２０４）。重要端末が一定時間オフフックしなかった場合には（Ｎｏの場合）、制御部１１は、通知部１３に、通知音（又はメッセージ）を出力するよう通知音送出指令を出力する（２１２）。ここで、制御部１１は、グループ通話トランク１２に当該グループ通話のグループ特番を通知してもよい。
【００３９】
通知部１３から出力されるメッセージとしては、例えば、「端末番号○○の方が参加しませんので、グループ通話を終了します」といったものが考えられる。尚、通知部１３からメッセージを出力する場合には、制御部１１は、指示に重要端末の番号を付して出力する。
そして、通知部１３から出力された通知音はグループ通話トランク１２で音声多重化され、送話ポートから他のメンバーの端末に送出される。
そして、制御部１１は、グループ通話を終了する（２１４）。
【００４０】
また、処理２０４で重要端末が一定時間内にオフフックした場合（Ｙｅｓの場合）には、そのままグループ通話を継続し（２０６）、制御部１１は、重要端末がグループ通話トランクに接続しているかどうかを監視する（２０８）。
【００４１】
そして、重要端末が接続中でないことを検出すると（Ｎｏの場合）、制御部１１は、処理２１２に移行して、通知部１３に通知音出力の指示を送出し（２１２）、グループ通話を終了する（２１４）。メッセージとしては、例えば、「端末番号○○の方が接続していません」や、「端末番号○○の方が接続していませんので、グループ通話を終了します」といったものが考えられる。
【００４２】
また、処理２０８で重要端末が接続中であった場合には（Ｙｅｓの場合）、制御部１１は、グループ通話が終了したかどうかを判断し（２１０）、終了していなければ処理２０８に移行して、引き続き重要端末の接続状態を監視する。このようにして第２のシステムの制御部１１における処理が行われるものである。
【００４３】
尚、図７では処理２０８で重要端末が切断したことを検出した場合に、グループ通話を終了する場合の処理を記載したが、処理２１２で通知音を出力するのみとして、強制的なグループ通話終了は行わないようにしても構わない。
【００４４】
本発明の第２の実施の形態に係る電話システムによれば、制御部１１に、グループ特番に対応するメンバーと重要端末を記憶しておき、制御部１１が、グループ通話の要求があると、グループ特番に対応するメンバーを発呼して、重要端末がオフフックしたかどうかを判断し、重要端末が一定時間以内にオフフックしなかった場合には、通知部１３に通知音送出指令を出力すると共にグループ会議トランク１２にグループ特番を通知し、会議トランク１２が、制御部１１から通知されたグループ特番のグループ通話に接続している全ての端末に送話ポートから通知音を出力し、制御部１１が当該グループ通話を終了する電話システムとしているので、グループ通話にとって重要な人が参加しなかった場合にはグループ通話を中止することができ、無駄な会議を無くして業務効率を向上させることができる効果がある。
【００４５】
また、第２のシステムによれば、グループ通話中に、制御部１１が、重要端末とグループ通話トランク１２との接続状態を監視し、重要端末が切断した場合には、通知部１３に通知音送出指令を出力すると共にグループ会議トランク１２にグループ特番を通知し、通知部１３が通知音を出力すると、グループ会議トランク１２が、制御部１１から通知されたグループ特番のグループ通話に接続している全ての端末に送話ポートから通知音を出力する電話システムとしているので、グループ通話中に重要端末が接続状態でなくなった場合に、他のメンバーにそのことを報知して、グループ通話を中止することができ、無駄な会議を無くして業務効率を向上させることができる効果がある。
【産業上の利用可能性】
【００４６】
本発明は、特にグループ通話中に切断した端末があった場合、それを他の参加者に報知して、利便性を向上させることができる電話システムに適している。
【図面の簡単な説明】
【００４７】
【図１】本発明の第１の実施の形態に係る電話システム（第１のシステム）の構成ブロック図である。
【図２】グループ通話管理テーブルの模式説明図である。
【図３】第１のシステムの動作を示す模式説明図である。
【図４】制御部１１の処理を示すフローチャート図である。
【図５】本発明の第２の実施の形態に係る電話システムの動作の概要を示す模式説明図である。
【図６】第２のシステムのグループ通話管理テーブルの模式説明図である。
【図７】第２のシステムにおける制御部１１の処理を示すフローチャート図である。
【図８】従来のグループ通話の通話イメージを示す模式説明図である。
【符号の説明】
【００４８】
１…制御装置、  ２…保守端末、  ３…基地局、  ４…電話機、  ５…携帯機、  １１…制御部、  １２…グループ通話トランク、  １３…通知部
【図１】
2007324797.tif 000003
【図２】
2007324797.tif 000004
【図３】
2007324797.tif 000005
【図４】
2007324797.tif 000006
【図５】
2007324797.tif 000007
【図６】
2007324797.tif 000008
【図７】
2007324797.tif 000009
【図８】
2007324797.tif 000010